(57)【要約】      （修正有）【課題】より容易にかご室に取り付けることができるエレベータのかご内手摺を提供する。【解決手段】エレベータのかご室のかご室壁１を挟んで手摺本体と締結されるかご外固定用部材８を、かご室の内側から外側へ、折り畳んだ状態で壁孔２２に通させる。羽板１８がかご室の外側に完全に抜け出たら、操作用治具１９を介してかご外固定用部材８を回転させ、かご外固定用部材８を拡げる。このとき、固定用ナット部１８ａの位置を壁側ネジ通し孔２３の位置に合わせ、手摺本体と壁側ネジ通し孔２３とを通して固定用ナット部１８ａにネジを螺着し、手摺本体とかご外固定用部材８とかご室壁１に固定する。【選択図】図８
2006306554.tif 000002
【特許請求の範囲】
【請求項１】
かご室の外側に配置される折り畳み可能なかご外固定用部材、及び
上記かご室の内側に配置されるとともに、かご室壁を挟んで上記かご外固定用部材と締結される手摺本体
を備え、
上記かご外固定用部材は、折り畳むことにより、上記かご室壁に設けられた壁孔を通り抜け可能となることを特徴とするエレベータのかご内手摺。
【請求項２】
上記かご外固定用部材は、底板と、上記底板に回動可能に連結された羽板とを有しており、上記羽板が回動されることで折り畳まれることを特徴とする請求項１記載のエレベータのかご内手摺。
【請求項３】
上記底板には、折り畳まれ状態の上記かご外固定用部材を拡げるように回転させるための操作用治具が、着脱可能に取り付けられることを特徴とする請求項２記載のエレベータのかご内手摺。
【発明の詳細な説明】
【技術分野】
【０００１】
この発明は、例えば福祉対策等で、エレベータのかご室に取り付けられるかご内手摺に関するものである。
【背景技術】
【０００２】
従来のエレベータ乗りかご手摺では、かご室内に手摺本体を配置し、その手摺本体に対して、かご室の外側からボルトを螺着することで、手摺本体をかご室壁に固定している（例えば、特許文献１参照）。
【０００３】
【特許文献１】実開昭５５−１６４２８１号公報
【発明の開示】
【発明が解決しようとする課題】
【０００４】
上記のような従来のエレベータ乗りかご手摺では、かご室の外側、即ちかご室と昇降路壁との間の隙間でボルトの締め付け作業を行う必要があるが、その隙間は非常に狭く、そこで作業を行うのは困難である。
【０００５】
この発明は、上記のような課題を解決するためになされたものであり、その目的は、より容易にかご室に取り付けることができるエレベータのかご内手摺を提供することである。
【課題を解決するための手段】
【０００６】
この発明に係るエレベータのかご内手摺は、かご室の外側に配置される折り畳み可能なかご外固定用部材、及びかご室の内側に配置されるとともに、かご室壁を挟んでかご外固定用部材と締結される手摺本体を備え、かご外固定用部材は、折り畳むことにより、かご室壁に設けられた壁孔を通り抜け可能となる。
【発明の効果】
【０００７】
この発明のエレベータのかご内手摺によれば、かご外固定用部材は、折り畳むことにより、かご室壁に設けられた壁孔を通り抜け可能となり、手摺本体は、かご室の外側に配置されたかご外固定用部材とかご室壁を挟んで締結されるので、かご室壁への手摺本体の取り付け作業をかご室内だけで行うことができる。即ち、手摺本体をより容易にかご室内に取り付けることができる。
【発明を実施するための最良の形態】
【０００８】
以下、この発明を実施するための最良の形態について、図面を参照して説明する。
実施の形態１．
図１は、この発明の実施の形態１によるかご内手摺を示す斜視図である。図において、エレベータのかご室のかご室壁１には、かご内手摺２が取り付けられている。かご内手摺２は、例えば福祉対策等で、既設のかご室に追加されたものである。
【０００９】
次に、図２は、図１のかご内手摺２を分解して示す斜視図である。図において、かご内手摺２は、利用者によって把持される管状のハンドル５、一対の保持部材６、一対のかご内固定用部材７、及び一対のかご外固定用部材８によって組み立てられる。ハンドル５、保持部材６、及びかご内固定用部材７は、かご室の内側に配置される。かご外固定用部材８は、かご室の外側に配置される。
【００１０】
かご内固定用部材７及びかご外固定用部材８は、かご室壁１に固定される。ハンドル５は、保持部材６を介して、かご室壁１に固定されたかご内固定用部材７に支持される。なお、この実施の形態では、手摺本体は、ハンドル５、保持部材６、及びかご内固定用部材７を有している。
【００１１】
次に、図３は、図２の保持部材６にかご内固定用部材７の一部が嵌め合わされている状態の断面図である。図において、かご内固定用部材７には、円板状の壁固定部１０と、円筒状の固定用部材側連結部１１とが設けられている。保持部材６には、ハンドル５が嵌め込まれるハンドル嵌合部１２と、固定用部材側連結部１１が嵌め込まれる保持部材側連結部１３とが設けられている。
【００１２】
固定用部材側連結部１１及び保持部材側連結部１３には、保持部材６とかご内固定用部材７とが互いに連結される際に使用される複数の連結用ネジ通し孔１５が設けられている。即ち、連結用ネジ通し孔１５にボルトが通され、そのボルトにナットが螺着されることで、保持部材６とかご内固定用部材７とが互いに連結される。
【００１３】
壁固定部１０には、かご内固定用部材７がかご室壁１に固定される際に使用される複数の壁固定用ネジ通し孔１６が設けられている。
【００１４】
次に、図４は、図２のかご外固定用部材８を拡大して示す斜視図であり、拡げられた状態を示している。図５は、図２のかご外固定用部材８が折り畳まれている状態を示す斜視図である。図において、かご外固定用部材８は、１枚の底板１７と複数枚（ここでは４枚）の羽板１８とを有している。羽板１８は、ヒンジ２０によって、底板１７に回動可能に連結されている。
【００１５】
各羽板１８は、図５のように、底板１７の前面側へ、底板１７に対して垂直になるまで回動される。かご外固定用部材８は、各羽板１８が図５のように回動されることで、折り畳まれた状態となる。かご外固定用部材８が折り畳まれた状態となっているときは、各羽板１８の前面は互いに対向している。
【００１６】
各羽板１８の背面には、固定用ナット部１８ａが設けられている。固定用ナット部１８ａは、各羽板１８に設けられた孔に合うように、各羽板１８の背面にナットが溶接されることで設けられている。
【００１７】
かご外固定用部材８とかご内固定用部材７とは、壁固定用ネジ通し孔１６と固定用ナット部１８ａとの位置が合うように互いに対向され、壁固定用ネジ通し孔１６を通して、固定用ナット部１８ａにネジが螺着されることで互いに締結される。なお、かご内手摺２がかご室壁１に取り付けられる際には、かご外固定用部材８とかご内固定用部材７とは、かご室壁１を挟んで互いに締結され、かご室壁１に固定される。
【００１８】
底板１７の前面には、治具用ナット部１７ａが設けられている。治具用ナット部１７ａは、底板１７に設けられた孔に合うように、底板１７の前面にナットが溶接されることで設けられている。
【００１９】
治具用ナット部１７ａには、操作用治具（Ｉネジ）１９が螺着されている。即ち、底板１７には、操作用治具１９が着脱可能に取り付けられている。操作用治具１９は、作業員がかご外固定用部材８を支持及び回転させるためのものである。折り畳まれ状態のかご外固定用部材８は、操作用治具１９を介して回転されることで拡げられる。
【００２０】
次に、かご室壁１へのかご内手摺２の取り付け方を、図６〜１３を参照して説明する。まず、かご内手摺２をかご室壁１に取り付ける際には、図６のように、かご室壁１に一対の壁孔２２と複数の壁側ネジ通し孔２３とを設ける。具体的には、既設のかご室のかご室壁１に、底板１７が通り抜け自在となるような大きさの壁孔２２を設け、その壁孔２２の周りに、各かご外固定用部材８の羽板１８の枚数だけ壁側ネジ通し孔２３を設ける。即ち、かご外固定用部材８は、折り畳むことにより、壁孔２２を通り抜け可能となる。
【００２１】
次に、図７のように、各羽板１８を回動させることでかご外固定用部材８を折り畳み、その折り畳まれた状態のかご外固定用部材８を、かご室内から外側へ壁孔２２に通す。このとき、各羽板１８がかご室の外側に完全に抜け出るまで、かご外固定用部材８は壁孔２２を通される。
【００２２】
次に、各羽板１８がかご室の外側に完全に抜け出た状態で、操作用治具１９を介してかご外固定用部材８を回転させる。すると、各羽板１８に遠心力が作用し、図８のようにかご外固定用部材８が拡げられた状態になる。このとき、各固定用ナット部１８ａの位置を壁側ネジ通し孔２３の位置に合わせる。
【００２３】
次に、図９のように、かご室壁１を挟んで、かご内固定用部材７とかご外固定用部材８とを互いに締結し、かご内固定用部材７とかご外固定用部材８とをかご室壁１に固定する。即ち、壁固定用ネジ通し孔１６を通して、Ｐナベネジ２５を各固定用ナット部１８ａに螺着する。そして、図１０のように、かご内固定用部材７をかご外固定用部材８に締結し終えたら、図１１のように底板１７から操作用治具１９を取り外す。次に、もう一方のかご内固定用部材７を、かご室壁１を挟んでかご外固定用部材８と締結し、そのかご外固定用部材８から操作用治具１９を取り外す。
【００２４】
次に、図１２のように、ハンドル５の両端に保持部材６を取り付けるとともに、図１３のように、固定用部材側連結部１１に保持部材側連結部１３を嵌め込み、ボルト２６及びナット２７によって、保持部材６とかご内固定用部材７とを互いに連結する。
【００２５】
このようなかご内手摺２では、かご外固定用部材８は、折り畳むことにより、壁孔２２を通り抜け可能となり、かご内固定用部材７は、かご室の外側に配置されたかご外固定用部材２２とかご室壁１を挟んで締結されるので、かご室壁１への手摺本体の取り付け作業をかご室内だけで行うことができる。即ち、手摺本体をより容易にかご室内に取り付けることができる。即ち、ハンドル５と保持部材６とかご内固定用部材７とを、より容易にかご室壁１に取り付けることができる。従って、取付作業時間を短縮することができ、コストを低減させることができる。
【００２６】
また、このようなかご内手摺２では、かご外固定用部材８は、底板１７と、底板１７に回動可能に連結された羽板１８とを有し、羽板１８を回動させることで折り畳まれ、壁孔２２を通り抜け可能となるので、簡単な構造で、ハンドル５と保持部材６とかご内固定用部材７とをより容易にかご室壁１に取り付けられるようにすることができる。
【００２７】
さらに、このようなエレベータのかご内手摺２では、底板１７に、折り畳まれ状態のかご外固定用部材８を拡げるように回転させるための操作用治具１９が、着脱可能に取り付けられるので、遠心力を利用してかご外固定用部材８を拡げることができるとともに、複数のかご外固定用部材８に対して１つの操作用治具１９を使用することができる。即ち、簡単な構造で、ハンドル５と保持部材６とかご内固定用部材７とをより容易にかご室壁１に取り付けられるようにするとともに、コストをより低減させることができる。
【００２８】
なお、実施の形態１では、ハンドル５と保持部材６とかご内固定用部材７とを、それぞれ別部材として説明したが、手摺本体の構成はこれに限定されず、例えばハンドルと保持部材とが一体であってもよい。また、かご外固定用部材のみを先にかご室壁に固定し、そのかご外固定用部材から操作用治具を取り外すようにすれば、保持部材とかご内固定用部材とが一体でもよく、手摺本体全体が一体でもよい。
【００２９】
また、実施の形態１では、羽板１８の背面に固定用ナット部１８ａが設けられていると説明したが、固定用ナット部は、羽板の前面に設けられてもよい。また、かご内固定用部材に固定用ナット部を設け、羽板にボルトを固定してもよい。
【００３０】
さらに、実施の形態１では、羽板１８の枚数は４枚であると説明したが、その枚数は１〜３枚でもよく５枚以上でもよい。
【００３１】
さらにまた、実施の形態１では、かご内手摺２は、既設のかご室に追加されるものであると説明したが、新設のかご室に取り付けられてもよい。
【図面の簡単な説明】
【００３２】
【図１】この発明の実施の形態１によるかご内手摺を示す斜視図である。
【図２】図１のかご内手摺を分解して示す斜視図である。
【図３】図２の保持部材にかご内固定用部材の一部が嵌め合わされている状態の断面図である。
【図４】図２のかご外固定用部材を拡大して示す斜視図である。
【図５】図２のかご外固定用部材が折り畳まれている状態を示す斜視図である。
【図６】図１のかご内手摺が取り付けられる前のかご室壁を示す斜視図である。
【図７】図６の壁孔にかご外固定用部材が通される状態を示す斜視図である。
【図８】図７のかご外固定用部材がかご室の外側で拡げられている状態を示す斜視図である。
【図９】図８のかご外固定用部材にかご内固定用部材が締結される状態を示す斜視図である。
【図１０】図９のかご外固定用部材にかご内固定用部材が締結され終わった状態を示す断面図である。
【図１１】図１０のかご外固定用部材から操作用治具が取り外された状態を示す断面図である。
【図１２】図２のハンドルの両端に保持部材が取り付けられる状態を示す斜視図である。
【図１３】図３の保持部材がかご内固定用部材と連結されている状態を示す断面図である。
【符号の説明】
【００３３】
１  かご室壁、２  かご内手摺、５  ハンドル、６  保持部材、７  かご内固定用部材、８  かご外固定用部材、１７  底板、１８  羽板、１９  操作用治具、２２  壁孔。
【図１】
2006306554.tif 000003
【図２】
2006306554.tif 000004
【図３】
2006306554.tif 000005
【図４】
2006306554.tif 000006
【図５】
2006306554.tif 000007
【図６】
2006306554.tif 000008
【図７】
2006306554.tif 000009
【図８】
2006306554.tif 000010
【図９】
2006306554.tif 000011
【図１０】
2006306554.tif 000012
【図１１】
2006306554.tif 000013
【図１２】
2006306554.tif 000014
【図１３】
2006306554.tif 000015